(57)【要約】【課題】時間分割多重パイロットデータに基づき基準信号を提供する。【解決手段】受信されたサンプルを提供するために、変調された信号が受信されそして処理され、これらは続いてパイロット記号を提供するために、さらに処理される。基準信号は利用可能なパイロット記号に基づき生成される（７２２ａ、７２２ｂ）。基準信号は変調された信号を生成するのに使用される１つまたはそれより多くの搬送信号の１つまたはそれより多くの特徴（例えば位相および振幅）に関する将来の評価を表示する一連の“予測された”パイロット記号を含む（図の５Ａ〜５Ｅ）。基準信号は多数の技術を用いて生成することができる。基準信号は例えばパイロット記号を前の時間間隔から線形的に外挿することにより（図５Ｂ）、パイロット記号のカーブ適合により（図５Ｃ）、パイロット記号の（標準のまたは全体的の）平均化により（図５Ｄ）生成することができる。【選択図】図７
2004508765.tif 000002
【特許請求の範囲】
【請求項１】
時間多重パイロットデータに基づき基準信号を生成する方法であって、
受信されたサンプルを提供するために変調された信号を受信しそして処理し、
パイロット記号を提供するために受信されたサンプルを処理し、
利用可能なパイロット記号に基づき基準信号を生成する工程を含み、
なお、基準信号は変調された信号に関する１つまたはそれより多くの搬送信号の１つまたはそれより多くの特徴についての将来の評価を表示する予測されたパイロット記号のシーケンスを含む方法。
【請求項２】
受信されたサンプルの処理は、
チャネル化された記号を提供するためにチャネル化コードを用いて受信されたサンプルをデカバーし、そして
パイロット記号を生成するためにチャネル化された記号と特定のパイロット記号パターンを乗算する、
工程を含む請求項１記載の方法。
【請求項３】
１つまたはそれより多くのフィルタされたパイロット記号を生成するために、各時間間隔からパイロット記号をフィルタリングする工程をさらに含み、そして
基準信号は利用可能なフィルタされたパイロット記号に基づき生成される請求項１記載の方法。
【請求項４】
基準信号は前の時間間隔からパイロット記号を外挿することにより生成される請求項１記載の方法。
【請求項５】
基準信号は２つの先行する時間間隔からパイロット記号を線形的に外挿することにより生成される請求項１記載の方法。
【請求項６】
基準信号は前の時間間隔からパイロット記号をカーブ適合することにより生成される請求項１記載の方法。
【請求項７】
基準信号は前の時間間隔からパイロット記号を平均することにより生成される請求項１記載の方法。
【請求項８】
基準信号は前の時間間隔からパイロット記号を重み付け係数の組を用いて重み付し、そして重み付けされたパイロット記号を平均することにより生成される請求項１記載の方法。
【請求項９】
基準信号は前の時間間隔からパイロット記号を全体的に平均することにより生成される請求項１記載の方法。
【請求項１０】
各時間間隔における特定の期間において時間多重パイロットデータが利用される請求項１記載の方法。
【請求項１１】
各時間間隔は１から８に変動するパイロット記号の特定の数に関連する請求項１０記載の方法。
請求項１４記載の方法。
【請求項１２】
基準信号は１つまたはそれより多くの搬送信号の位相および振幅の評価の表示である請求項１記載の方法。
【請求項１３】
時間多重パイロットデータに基づき基準信号を生成する方法であって、
受信されたサンプルを提供するために変調された信号を受信しそして処理し、
チャネル化された記号を提供するためにチャネル化コードを用いて受信されたサンプルをデカバーし、
パイロット記号を生成するためにチャネル化された記号と特定のパイロット記号パターンを乗算し、
１つまたはそれより多くのフィルタされたパイロット記号を生成するために、各時間間隔からパイロット記号をフィルタリングし、
外挿し、カーブ適合し、平均化し、重み付け平均化し、または全体的に平均化する方法を用いて利用可能なフィルタされたパイロット記号に基づき基準信号を生成する工程を含み、なお、基準信号は変調された信号に関する１つまたはそれより多くの搬送信号の位相および振幅の将来の評価について表示する予測されたパイロット記号のシーケンスを含む方法。
【請求項１４】
時間多重パイロットデータを含む変調された信号を復調する方法であって、
受信されたサンプルを提供するために変調された信号を受信しそして処理し、
パイロット記号およびチャネル化された記号を提供するために受信されたサンプルを処理し、
利用可能なパイロット記号に基づき基準信号を生成し、なお、基準信号は変調された信号に関する１つまたはより多くの搬送信号の１つまたはより多くの特徴の将来の評価を表示する予測されたパイロット記号のシーケンスを含み、そして、
回復された記号を生成するためにチャネル化された記号を基準信号を用いて復調する工程を含む方法。
【請求項１５】
受信されたサンプルを処理する工程は、
チャネル化された記号を提供するためにチャネル化コードを用いて受信されたサンプルをデカバーし、
パイロット記号を生成するためにチャネル化された記号と特定のパイロット記号パターンを乗算し、そして
１つまたはそれより多くのフィルタされたパイロット記号を生成するために、各時間間隔からパイロット記号をフィルタリングする工程を含み、そして
利用可能なフィルタされたパイロット記号に基づき基準信号が生成される請求項１４記載の方法。
【請求項１６】
受信されたサンプルを処理する工程は、
チャネル化されたサンプルを提供するためにチャネル化コードを用いて受信されたサンプルをデカバーし、
チャネル化された記号を提供するためにチャネル化コードの長さにわたってチャネル化されたサンプルをアキュムレートする工程を含む、
請求項１４記載の方法。
【請求項１７】
利用可能なパイロット記号を外挿し、カーブ適合し、平均化し、重み付け平均化し、または全体的平均化することにより、基準信号を生成する工程を含む、
請求項１４記載の方法。
【請求項１８】
復調する工程は回復された記号を生成するために基準信号内の予測されたパイロット記号とチャネル化された記号との間でドット積を実行する工程を含む請求項１４記載の方法。
【請求項１９】
復調する工程は基準信号内の予測されたパイロット記号とチャネル化された記号との間でドット積を実行し、
予測されたパイロット記号とチャネル化された記号との間でクロス積を実行し、そして
回復された記号を生成するためにドット積とクロス積の結果を結合する工程を含む
請求項１４記載の方法。
【請求項２０】
ＣＤＭＡ通信システムにおいて物理チャネルを処理するために動作する受信機ユニットであって、
変調された信号を受信し、そして物理チャネルにおいて送信されたデータを表示する受診されたサンプルを提供するために動作する受信機と、そして
受信機に結合された少なくとも１つの復調器要素とを含み、各復調器要素は
チャネル化された記号を提供するために、受信されたサンプルを受信しそして処理するために動作するデータ処理ユニットと、そして
パイロット記号を提供するためにチャネル化された記号を受信しそして処理し、そして利用可能なパイロット記号に基づき基準信号を生成するために動作するパイロット処理ユニットとを含み、
なお、基準信号は変調された信号に関する１つまたはそれより多くの搬送信号の１つまたはそれより多くの特徴の将来の評価を表示する予測されたパイロット記号のシーケンスを含む、
受信機ユニット。
【請求項２１】
各復調器要素はデータ処理ユニットおよびパイロット処理ユニットに結合されたデータ回復要素をさらに含み、データ回復要素は基準信号およびチャネル化された記号を受信しそして回復された記号を生成するために動作する請求項２０に記載の受信機ユニット。
【請求項２２】
結合された記号を生成するために、少なくとも１つの復調器要素に結合され、そして１つまたはそれより多くの割り当てられた復調器要素から回復された記号を受信しそして結合するために動作するコンバイナをさらに含む請求項２１に記載の受信機ユニット。
【請求項２３】
基準信号は利用可能なパイロット記号を外挿し、カーブ適合し、平均化し、重み付け平均化し、または全体的平均化することにより生成される請求項２０に記載の受信機ユニット。
【発明の詳細な説明】
【０００１】
【発明の属する技術分野】
本発明はデータ通信に関するものである。特に、本発明は、時分割多重（ＴＤＭ：ｔｉｍｅ ｄｉｖｉｓｉｏｎ ｍｕｌｔｉｐｌｅｘｅｄ）パイロットデータから基準信号（ｒｅｆｅｒｅｎｃｅ ｓｉｇｎａｌ）を提供するための、新規なそして進歩した方法および装置に関するものである。
【０００２】
【従来の技術】
現代の通信システムは多様な応用に適合することが要求されている。かかる通信システムの１つは、地上のリンクを介して使用者間の音声およびデータを支援するコード分割多重接続（ＣＤＭＡ：ｃｏｄｅ ｄｉｖｉｓｉｏｎ ｍｕｌｔｉｐｌｅ ａｃｃｅｓｓ）システムである。多重接続通信システムにおけるＣＤＭＡ技術の使用は、双方とも本発明の譲受け人に譲渡され、参照することによりここに組込まれる、「ＳＰＲＥＡＤ ＳＰＥＣＴＲＵＭ ＭＵＬＴＩＰＬＥ ＡＣＣＥＳＳ ＣＯＭＭＵＮＩＣＡＴＩＯＮ ＳＹＳＴＥＭ ＵＳＩＮＧ ＳＡＴＥＬＬＩＴＥ ＯＲ ＴＥＲＲＥＳＴＲＩＡＬ ＲＥＰＥＡＴＥＲＳ（人工衛星または地上の中継器を使用するスペクトル拡散多重接続通信システム）」なる名称の米国特許第４，９０１，３０７号、および「ＳＹＳＴＥＭ ＡＮＤ ＭＥＴＨＯＤ ＦＯＲ ＧＥＮＥＲＡＴＩＮＧ ＷＡＶＥＦＯＲＭＳ ＩＮ Ａ ＣＤＭＡ ＣＥＬＬＵＬＡＲ ＴＥＬＥＰＨＯＮＥ ＳＹＳＴＥＭ（ＣＤＭＡセルラ電話システムにおける波形生成のための方法および装置）」なる名称の米国特許第５，１０３，４５９号に開示されている。
【０００３】
ＣＤＭＡシステムは、一般的には、１つまたはより多くの標準に適合するように設計される。かかる第１世代の標準の１つは、以後ＩＳ−９５標準として参照され、参照することによりここに組込まれる、“ＴＩＡ／ＥＩＡ／ＩＳ−９５ Ｔｅｒｍｉｎａｌ−Ｂａｓｅ Ｓｔａｔｉｏｎ Ｃｏｍｐａｔｉｂｉｌｉｔｙ Ｓｔａｎｄａｒｄ ｆｏｒ Ｄｕａｌ−Ｍｏｄｅ Ｗｉｄｅｂａｎｄ Ｓｐｒｅａｄ Ｓｐｅｃｔｒｕｍ Ｃｅｌｌｕｌａｒ Ｓｙｓｔｅｍ （相対モード広帯域スペクトル拡散多重セルラシステムのための端末−基地局互換性標準）”である。ＩＳ−９５に従うＣＤＭＡは音声データおよび（たとえ効率が良くなくともでも）パケットデータを送信可能にする。より効率よくパケットデータを送信するより新しい世代の標準は“３ｒｄ Ｇｅｎｅｒａｔｉｏｎ Ｐａｒｔｎｅｒｓｈｉｐ Ｐｒｏｊｅｃｔ（第３世代共同プロジェクト）”（３ＧＰＰ）なる名称の協会により提供され、文献番号３Ｇ ＴＳ ２５．２１１、３Ｇ ＴＳ ２５．２１２、３Ｇ ＴＳ ２５．２１３、および３Ｇ ＴＳ ２５．２１４を含む文献集において具体化されており、これらは一般に容易に利用可能である。この３ＧＰＰ標準は以後Ｗ−ＣＤＭＡ標準として参照され、そして参照することによりここに組込まれる。
【０００４】
Ｗ−ＣＤＭＡ標準は、複数の使用者を支援することが可能であり、パケットデータの効率よい送信のために設計されたチャネル構造について規定する。Ｗ−ＣＤＭＡ標準に従って、一般的に端末の使用者は呼の期間において下方リンク（ｄｏｗｎｌｉｎｋ）および上方リンク（ｕｐｌｉｎｋ）上の“専用（ｄｅｄｉｃａｔｅｄ）”チャネルを割り当てられる。下方リンクは基地局から端末への送信として参照され、そして上方リンクは端末から基地局への送信として参照される。専用チャネルが音声通信のために使用可能であり、そして、さらにパケットデータの通信のために使用されるかもしれない。
【０００５】
Ｗ−ＣＤＭＡ標準に従って、専用チャネルは時分割多重（ＴＤＭ）構造を有し、この中においてデータ送信は無線フレーム（ｒａｄｉｏ ｆｒａｍｅ）に分割され、各無線フレームは１０ｍｓｅｃの継続時間を有し、そして１５スロットを含む。各スロットはパケットデータおよび他の情報を運ぶために使用される複数のフィールドにさらに分割される。例えば、各スロット内の１つのフィールドは特別の専用チャネルに関連するパイロットデータのために使用され、各スロット内の１つまたはより多くのフィールドはパケットデータのために使用され、そして他のフィールドは信号送信（ｓｉｇｎａｌｉｎｇ）情報のために使用されるかも知れない。送信機ユニットにおいて、パケット、信号送信、およびパイロットデータは、同相および直角位相搬送信号を変調するために使用される。
【０００６】
受信機において、時間多重パイロットデータ（ｔｉｍｅ−ｍｕｌｔｉｐｌｅｘｅｄ ｐｉｌｏｔ ｄａｔａ）は、受信された（直角位相）搬送信号の位相および振幅に近い位相および振幅を有する“基準（ｒｅｆｅｒｅｎｃｅ）”信号を生成するために処理されそして使用される。続いて基準信号は、パケットおよび信号送信データを回復するため、受信された信号をコヒーレントに復調（ｃｏｈｅｒｅｎｔｌｙ ｄｅｍｏｄｕｌａｔｅ）するために使用される。パイロットデータは各スロットの小部分のために単に利用でき、そして基準信号はパイロットデータが存在しない時間周期について評価される。
【０００７】
基準信号は時間的に短期間の間に周期的に発生するパイロットデータを使用する受信機において一般的に生成される。生成された基準信号の精度は復調工程の性能に直接影響し、このことは次に通信システムの性能を決定する。さらに、基準信号について“予測される（ｐｒｅｄｉｃｔｅｄ）”ことが可能な場合には、復調は実時間で実行することができ、それによって受信されたデータを一時的に記憶する必要性を低減しまたは排除する。
【０００８】
【発明が解決しようとする課題】
このように、Ｗ−ＣＤＭＡシステムにおける専用チャネルのために使用される技術のような、時間多重データに基づき基準信号を正確にそして効率良く生成するために使用することのできる技術が大いに望まれている。
【０００９】
【課題を解決するための手段】
本発明は通信システムにおいて変調され信号を生成するために使用される搬送信号の位相および振幅の将来の評価（即ち、予測）を表現する基準信号を生成する技術を提供する。各規準信号は現在利用可能なパイロットデータ（例えば、前のスロット）に基づき生成される。
【００１０】
本発明の特徴は時間多重パイロットデータに基づき基準信号を生成する方法を提供する。この方法に従い、受信されたサンプルを提供するために変調された信号が受信されそして処理され、続いて受信されたサンプルはさらにパイロット記号（ｐｉｌｏｔ ｓｙｍｂｏｌ）を提供するために処理される。基準信号は利用可能なパイロット記号に基づき生成される。この基準信号は、変調された信号を生成するために使用される１つまたはより多くの搬送信号の１つまたはより多くの特徴（例えば、位相および振幅）に関する将来の評価を表現する連続する“予測された”パイロット記号を含む。基準信号は多くの技術を用いて生成することができる。例えば、基準信号は前のスロットから（例えば、線形的に）外挿されたパイロット記号により、パイロット記号のカーブ適合（ｃｕｒｖｅ ｆｉｔｔｉｎｇ）により、（重み付けのないまたは重み付けされた）パイロット記号の（標準のまたは集団の）平均をとることにより、または何らかの他の技術により、生成することができる。
【００１１】
本発明の他の特徴はＣＤＭＡ通信システムにおける物理チャネル（ｐｈｙｓｉｃａｌ ｃｈａｎｎｅｌ）を処理するために適切に作用する受信機ユニットを提供する。受信機ユニットは、受信機および少なくとも１つの復調器要素（ｄｅｍｏｄｕｌａｔｏｒ ｅｌｅｍｅｎｔ）を含む。受信機は変調された信号を受信しそして処理し、そして物理チャネル上で送信されたデータを示す受信されたサンプルを提供する。各復調器要素はデータ処理ユニットおよびパイロット処理ユニットを含む。データ処理ユニットはチャネルにて送られた記号を提供するために受信されたサンプルを処理する。パイロット処理ユニットはパイロット記号を提供するためにチャネルが開かれた記号を処理し、さらに利用可能なパイロット記号に基づき基準信号を生成する。基準信号は変調された信号を生成するために使用される１つまたはそれよりより多くの搬送信号の１つまたはそれより多くの特徴（例えば、位相および振幅）に関する将来の評価（ｆｕｔｕｒｅ ｅｓｔｉｍａｔｅ）を表現する連続する予測されたパイロット記号を含む。基準信号は利用可能なパイロット記号に基づき、そして外挿し、カーブ適合し、平均をとり、重み付け平均をとり、または全体的平均をとり、または、何らかの他の技術を使用して生成することができる。
【００１２】
以下、本発明に関する種々の概念、実施の形態、および特徴についてさらに詳細に記載する。
【００１３】
本発明に関する特徴、性質および利点が、全体を通して同様の参照符号によって対応するように規定する図面と関連させることにより、以下に述べる詳細な説明の記載からより明瞭になるであろう。
【００１４】
【発明の実施の形態】
図１は多くの使用者を維持するスペクトル拡散通信システム１００の図である。システム１００は多数のセル１０２ａから１０２ｇに関する通信を提供し、各セル１０２は対応する基地局１０４によって処理される。システムの全体にわたって種々の端末１０６が分散配置されている。１つの実施の形態において、各端末１０６は、端末がソフトハンドオフ（ｓｏｆｔ ｈａｎｄｏｆｆ）であるかどうかに従い、いずれか所定の瞬間において下方リンクおよび上方リンク上で１つまたはより多くの基地局１０４と通信する。システム１００は、ＩＳ−９５標準のような、１つまたはそれより多くのＣＤＭＡ標準、Ｗ−ＣＤＭＡ標準、他の標準、またはそれらの組合せを維持するように設計することができる。
【００１５】
図１に示すように、基地局１０４ａは下方リンクによりデータを端末１０６ａおよび１０６ｊに送信し、基地局１０４ｂはデータを端末１０６ｂおよび１０６ｊに送信し、基地局１０４ｃはデータを端末１０６ｃに送信し、等々する。図１において、矢印を有する実線は、基地局から端末への送信を示す。矢印を有する破線は、基地局から、端末がパイロット信号を受信しているが、使用者−特定データ送信は受信していないことを示す。簡単化のため、図１においては上方リンク通信は示されていない。
【００１６】
Ｗ−ＣＤＭＡ標準における所定の送信モードにおいて、端末は、下方リンクの専用の物理チャネル（ＤＰＣＨ：ｄｅｄｉｃａｔｅｄ ｐｈｙｓｉｃａｌ ｃｈａｎｎｅｌ）ような、一定の物理チャネル形式において、単一の基地局の複数のアンテナからの複数の送信を受信することができる。図１に示すように、端末１０６ａは基地局１０４ａからの複数の送信を受信し、端末１０６ｄは基地局１０４ｄからの複数の送信を受信し、端末１０６ｆは基地局１０４ｆからの複数の送信を受信する。
【００１７】
図２は下方リンクの物理チャネルに関する信号処理の実施の形態の簡単化されたブロック図である。送信ユニットにおいて、データがデータソース（ｄａｔａ ｓｏｕｒｃｅ）２１２からエンコーダ２１４へ、典型的にはパケットにて送信される。エンコーダ２１４は特定のＣＤＭＡシステムまたは実施されるべき標準に従って複数の機能を実行する。かかるエンコードする機能は、各データパケットを必要な制御フィールド（ｃｏｎｔｒｏｌ ｆｉｅｌｄ）、周期的冗長性チェック（ＣＲＣ：ｃｙｃｌｉｃ ｒｅｄｕｎｄａｎｃｙ ｃｈｅｃｋ）、およびコードテイルビット（ｃｏｄｅ ｔａｉｌ ｂｉｔ）を用いてフォーマットすることを典型的に含む。続いてエンコーダ２１４は１つまたはそれより多いフォーマットされたパケットを特定のコーディングスキーム（ｃｏｄｉｎｇ ｓｃｈｅｍｅ）を用いてエンコードし、エンコードされたパケットのレートマッチング（ｒａｔｅ ｍａｔｃｈｉｎｇ）（例えば、記号の繰り返しまたはパンクチャリング（ｐｕｎｃｔｕｒｉｎｇ）により）を形成し、そして記号をパケット内に挿入する（または記憶する）。Ｗ−ＣＤＭＡ標準に関して、挿入されたデータは続いて無線フレーム（ｒａｄｉｏ ｆｒａｍｅ）に分割され、さらに物理チャネル内に分割され、挿入され、そして続いて１つまたはそれより多くの物理チャネルにマップされる。下方リンクの物理チャネルに関して形成される工程はＷ−ＣＤＭＡ標準（例えば文献番号第３号ＧＴＳ　２５−２１２）にさらに詳細に記載されており、順方向リンクトラフィックチャネル（ｆｏｒｗａｒｄ ｌｉｎｋ ｔｒａｆｆｉｃ ｃｈａｎｎｅｌ）に関して形成される工程はＩＳ−９５標準にさらに詳細に記載されている。
【００１８】
各物理チャネルに関して指示されるチャネルデータは、その物理チャネルに関して規定される特定のフレームフォーマットに従う。Ｗ−ＣＤＭＡ標準における専用物理チャネルに関するチャネルデータはパケットデータ、信号データ、およびパイロットデータまたはこれらの組合せを含み、そして専用物理チャネルに関するフレームフォーマットについてはさらに詳細に下記に記載される。
【００１９】
各物理チャネルに関するチャネルデータは変調器（ＭＯＤ）２１６に提供され、そして（ＩＳ−９５ＣＤＭＡシステムに関する）スクランブルシーケンス（ｓｃｒａｍｂｌｅ ｓｅｑｕｅｎｃｅ）を用いてスクランブルされ、チャネル化コード（ｃｈａｎｎｅｌｉｚａｔｉｏｎ ｃｏｄｅ）を用いてカバーされ、そして拡散コード（例えばＰＮコード）を用いて拡散する。拡散コードを用いた拡散はＷ−ＣＤＭＡ標準により“スクランブリング”として参照される。チャネル化コードは、（Ｗ−ＣＤＭＡシステムに関する）直交変数拡散ファクタ（ＯＶＳＦ：ｏｒｔｈｏｇｏｎａｌ ｖａｒｉａｂｌｅ ｓｐｒｅａｄｉｎｇ ｆａｃｔｏｒ）コード、（ＩＳ−９５ＣＤＭＡシステムに関する）ウォルシュコード（Ｗａｌｓｈ ｃｏｄｅ）、または実行される特定のＣＤＭＡシステムまたは標準にさらに従う何らかの直交コードとすることができる。拡散データは続いて送信機（ＴＭＴＲ：ｔｒａｎｓｍｉｔｔｅｒ）２１８に提供され、そして１つまたはそれより多くの下方リンク信号を生成するために、直交変調され、フィルタリングされ、そして増幅される。下方リンク信号は１つまたはそれより多くのアンテナ２２０から空中に送信される。下方リンク工程はＩＳ−９５およびＷ−ＣＤＭＡ標準においてさらに詳細に記載されている。
【００２０】
受信機ユニットにおいて、下方リンク信号はアンテナ２３０により受信され、そして受信機（ＲＣＶＲ：ｒｅｃｅｉｖｅｒ）２３２に伝送される。受信機２３２は受信した信号をフィルタリングし、増幅し、（直交）復調し、サンプルし、そして量子化する。ディジタル化されたサンプルはそこで復調器（ＤＥＭＯＤ：ｄｅｍｏｄｕｌａｔｏｒ）２３４に提供され、そしてチャネル化コードを用いてチャネル化された、処理されるべき各物理チャネルに関して、拡散復元コードを用いて拡散復元（ｄｅｓｐｒｅａｄ）（またはスクランブル復元（ｄｅｓｃｒａｍｂｌｅ））がなされる。ＩＳ−９５　ＣＤＭＡシステムにおいて拡散が復元されたサンプルはチャネル化の後スクランブル復元コードを用いてスクランブルが復元される。受信機ユニットにおいて使用される拡散復元、スクランブル復元、およびチャネル化コードは送信機ユニットにおいて使用されるコードに対応する。復調されたデータは続いてエンコーダ２１４において実行されたのと逆の機能（例えば、インターリーブ復元、デコーディング、およびＣＲＣチェック機能）を実行するデコーダ２３６に提供される。デコードされたデータはデータシンク（ｄａｔａ ｓｉｎｋ）２３８に提供される。
【００２１】
制御器２４０は復調器２３４およびデコーダ２３６の動作を管理する。メモリユニット２４２は復調器２３４と結合され（そしてまた、破線で示すように、あるいは制御器２４０と）、そして特定の動作モードにおいて、復調器２３４からの中間結果またはデータを蓄積するために使用することができる。
【００２２】
上で記載したハードウェアはパケットデータ、メッセージ、音声、ビデオ、および他の形式の通信の下方リンクにおける送信を支持する。また、双方向性通信システムは端末から基地局への上方リンク送信を支持する。しかしながら、簡単化のため、上方リンク処理は図２には示されていない。
【００２３】
図３は、下方リンクにおいて１つまたはそれより多くのアンテナによる物理チャネルの送信を支持する復調器３００、送信機３０２、およびアンテナ３０４のブロック図である。図３に示す処理ユニットはＷ−ＣＤＭＡ標準によって規定される“非送信ダイバシティ（ｎｏ Ｔｒａｎｓｍｉｔ Ｄｉｖｅｒｓｉｔｙ）”モードを支持するために使用することができる、ここでデータ送信は１つのアンテナを介して生じ、そして“送信ダイバシティ（Ｔｒａｎｓｍｉｔ Ｄｉｖｅｒｓｉｔｙ）”モードにおいてはデータ送信は２つのアンテナを介して生ずる。また送信ダイバシティモードはＷ−ＣＤＭＡ標準において“スペース時間ブロックコーディング送信アンテナダイバシティ（ＳＴＴＤ：ｓｐａｃｅ ｔｉｍｅ ｂｌｏｃｋ ｃｏｄｉｎｇ ｔｒａｎｓｍｉｔ ａｎｔｅｎｎａ ｄｉｖｅｒｓｉｔｙ）”モードとして参照される。
【００２４】
物理チャネルに関するデータ（即ち、チャネルデータ）が、チャネルデータを送信するために使用される各アンテナに対しＳＴＴＤエンコードデータを生成する、ＳＴＴＤエンコーダ３１０に提供される。ＳＴＴＤエンコーダ３１０の動作は、これと同日に出願され、本発明の譲受け人に譲渡され、参照することによりここに組込まれる、「ＭＥＴＨＯＤ ＡＮＤ ＡＰＰＡＲＡＴＵＳ ＦＯＲ ＰＲＯＣＥＳＳＩＮＧ Ａ ＰＨＹＳＩＣＡＬ ＣＨＡＮＮＥＬ ＷＩＴＨ ＰＡＲＴＩＡＬ ＴＲＡＮＳＰＯＲＴ ＦＯＥＭＡＴ ＩＮＦＯＲＭＡＴＩＯＮ（部分的トランスポートフォーマット情報を有する物理チャネルを処理するための方法および装置）」なる名称の米国特許出願第０９／６５５、６０９号、により詳細に記載されている。各アンテナに関するＳＴＴＤエンコードデータは“チャネル化された（ｃｈａｎｎｅｌｉｚｅｄ）”データを生成するために、物理チャネルに割り当てられたチャネル化コード（ｃｈａｎｎｅｌｉｚａｔｉｏｎ ｃｏｄｅ）を有するデータを“カバー（ｃｏｖｅｒ）”するそれぞれのチャネライザ３２０に提供される。Ｗ−ＣＤＭＡシステムにおいて、同一のチャネル化コードがＳＴＴＤモードの双方のアンテナに対し使用される。
【００２５】
チャネライザ３２０において、ＳＴＴＤエンコードデータはこのデータを同相（Ｉ）および直角位相（Ｑ）データにデマルチプレクスするＩ／Ｑデマルチプレクサ（ＤＥＭＵＸ：ｄｅｍｕｌｔｉｐｌｅｘｅｒ）３２２に提供される。ＩデータおよびＱデータはそれぞれの乗算器３２４ａおよび３２４ｂに提供され、そして物理チャネルに割り当てられたチャネル化コード、Ｃｄによりカバーされる（即ち、乗算される）。乗算器３２４ａおよび３２４ｂはチャネル化コードを使用して、ＩＳ−９５ＣＤＭＡシステムにおけるウォルシュコードを用いて行われるカバリング（ｃｏｖｅｒｉｎｇ）と同様の方法により、カバリングを行う。チャネル化はＩＳ−９５およびＣＤＭＡ標準において、そしてこれと同日出願の上記米国特許出願第０９／６５５、６０９号により詳細に記載されている。
【００２６】
ＩＳ−９５ＣＤＭＡシステムに関し、６４チップの固定長を有するウォルシュコードがトラヒックチャネルをカバーするために使用され、各トラヒックチャネルは変数を有するがデータレートが制限されている（例えば、≦３２Ｋｂｐｓ）。Ｗ−ＣＤＭＡシステムに関し、トラヒックチャネルをカバーするために可変長を有するＯＶＳＦコードが使用される。ＯＶＳＦコードの長さは４から５１２チップへ変化し、そして物理チャネルのデータレートに従う。ＯＶＳＦコードはＷ−ＣＤＭＡ標準およびこれと同日出願の上記米国特許出願第０９／６５５、６０９号により詳細に記載されている。
【００２７】
乗算器３２４ｂにより乗算されたＱデータは乗算器３２６に提供され、そしてチャネル化されたデータの虚数部分を生成するために、複素数記号、ｊ、が乗算される。乗算器３２４ａからの実数部分および乗算器３２４ｂからの虚数部分は複素チャネル化されたデータを提供するために加算器３２８により結合される。続いて各アンテナに関するチャネル化されたデータは、乗算器３３０により、複素スクランブルコード（ｃｏｍｐｌｅｘ ｓｃｒａｍｂｌｉｎｇ ｃｏｄｅ）、ＰＮ、を用いてスクランブルされ（例えば、拡散され）、そして乗算器３３２により重み付けファクタ、Ｇ、を用いて掛け算される。重み付けファクタ、Ｇ、は物理チャネルの送信電力を調整するために使用される。乗算器３３２ｂによりスクランブルされ重み付けされたデータは物理チャネルのために処理されたデータを含む。
【００２８】
各アンテナのために処理されたチャネルデータは、このアンテナから送信される他の物理チャネルに関して処理されたデータをさらに受信するそれぞれのコンバイナ（ｃｏｍｂｉｎｅｒ）３３４に提供される。各コンバイナは３３４は、物理チャネルのために受信された処理されたチャネルデータを結合し、そして関連するアンテナに対する出力データを生成する。各アンテナに対する合成データには乗算器３３６により複素重み付けファクタ、Ｗ、がさらに乗算される。Ｗ−ＣＤＭＡ標準に規定されているように、重み付けファクタは閉ループモード１においては位相調整のために、そして閉ループモード２においては位相／振幅調整のために使用される。閉ループモード１および２は、ＳＴＴＤモードの２つの動作モードである。
【００２９】
各乗算器３３６からのデータはデータをＲＦ変調信号に変換するそれぞれの送信機３０２に提供され、続いてそれぞれのアンテナ３０４から送信される。
【００３０】
図４ＡはＷ−ＣＤＭＡ標準により規定されている専用物理チャネルに関するフレームフォーマットおよびスロットフォーマットの図である。下方リンク専用チャネル（ＤＰＣＨ：ｄｏｗｎｌｉｎｋ ｄｅｄｉｃａｔｅｄ ｃｈａｎｎｅｌ）、下方リンク共用チャネル（ＤＳＣＨ：ｄｏｗｎｌｉｎｋ ｓｈａｒｅｄ ｃｈａｎｎｅｌ）、その他、のような物理チャネルの各タイプに関し、一般に異なるフレームフォーマットがＷ−ＣＤＭＡ標準により規定されている。各物理チャネルにおいて送信されるデータは無線フレームに分割され、各無線フレームはスロット０からスロット１４として分類された１５スロットを含む。各スロットはさらにパケット、信号、およびパイロットデータ、またはこれらの組合わせを搬送するために使用される１つまたはそれより多くのフィールドに分割される。
【００３１】
図４に示すように、専用物理チャネルに関し、スロット４１０は、第１のデータ（データ１）フィールド４２０ａ、第２のデータ（データ２）フィールド４２０ｂ、送信電力制御（ＴＰＣ：ｔｒａｎｓｍｉｔ ｐｏｗｅｒ ｃｏｎｔｒｏｌ）フィールド４２２、トランスポートフォーマット結合標識（ＴＦＣＩ：ｔｒａｎｓｐｏｒｔ ｆｏｒｍａｔ ｃｏｍｂｉｎａｔｉｏｎ ｉｎｄｉｃａｔｏｒ）フィールド４２４、およびパイロットフィールド４２６を含む。データフィールド４２０ａおよび４２０ｂは専用物理チャネルにおいてパケットデータを送るために使用される。上方または下方のいずれかで干渉を最小化する一方で所望の機能を達成するために、送信電力制御フィールド４２２は、情報リンク上においてその送信電力を調整するように受信機ユニットを管理するために、電力制御情報を送るのに使用される。トランスポートフォーマット結合標識フィールド４２４は、専用物理チャネルと組合わされた共用物理チャネルのフォーマット（例えば、ビットレート、チャネル化コード、その他）を表現する情報を送るのに使用される。パイロットフィールド４２６は、専用物理チャネルに関するパイロットデータを送るのに使用される。
【００３２】
表１はＷ−ＣＤＭＡ標準のＶ３．１．１版により規定される専用物理チャネルに関するスロットフォーマットのいくつかについて記載する。表１の各スロットフォーマットは、スロット中の各フィールドの長さを（ビット数で）規定する。表１に示すように、専用物理チャネルのビットレートは値の範囲（例えば、１５Ｋｂｐｓ〜１９２０Ｋｂｐｓ）および対応して変化する各スロット内のビット数の間で変化することが可能である。スロットフォーマットのいくつかに関し上記１つまたはそれより多くのフィールドについて割愛する（即ち、長さ＝０）ことができる。
【表１】
2004508765.tif 000003
【００３３】
Ｗ−ＣＤＭＡ標準に従って、各専用物理チャネルはそれ自身のパイロット情報と組合わされる。専用パイロットはデータ送信のために改善された指向性を提供するビーム形成を支持し、このことは性能を改善しそして干渉を減少させる。変調された信号の位相は、１つのビーム形成信号から他へ変化可能である（そして一般的には変化する）。このように、各専用物理チャネルはそれ自身のパイロットを用いて提供される。
【００３４】
Ｗ−ＣＤＭＡ標準により規定されるように、各スロットに関するパイロットデータは、特定の記号パターン（即ち、複素記号の規定された配列）を含む。送信ユニットにおいて、パイロットデータは同相および直角位相の搬送信号を変調するために使用される。パイロットデータは既知のパターンであるため、受信ユニットは受信された信号を処理し、パイロットデータを回復し、そして受信された搬送信号の位相および振幅を評価することができる。パイロットデータはこのように受信機ユニットにおいて“基準”信号を生成するために使用することができ、続いてこれは専用物理チャネル上を送信されたパケットおよび信号データをコヒーレントに復調する（ｃｏｈｅｒｅｎｔｌｙ ｄｅｍｏｄｕｌａｔｅ）ために使用される。基準信号はまた共用物理チャネルのような他の物理チャネルをコヒーレントに復調するために使用することができる。
【００３５】
表２は、非ダイバシティアンテナに関してＷ−ＣＤＭＡ標準により規定されるパイロット記号パターンについて載せる。表１を参照すると、パイロットフィールドは、２ビットから１６ビットに変化する４つの異なる長さのうちの１つを有することができる。またＷ−ＣＤＭＡ標準に従い、特定の無線フレームの１５スロットのそれぞれに関し異なるパイロット記号パターンが使用される。このように、１５のパイロット記号パターンの４つの組が規定されそして表２に示される。各パイロット記号パターンは同相および直角位相搬送信号を送信機において変調するために使用される１、２、４または８の複素記号を含む。
【表２】
2004508765.tif 000004
【００３６】
Ｗ−ＣＤＭＡ標準は２つのＳＴＴＤ動作モードについて規定する。閉ループモード１において、直交するパイロット記号パターンが２つ送信アンテナに関して使用される。表２に示すパイロット記号パターンは第１の（非−ダイバシティ）アンテナに関して使用され、そして表３に示すパイロット記号パターンは第２の（ダイバシティ）アンテナに関して使用される。閉ループモード２において、表２に示すパイロット記号パターンは双方のアンテナに関して使用される。
【表３】
2004508765.tif 000005
【００３７】
送信機ユニットにおいて、データ１、ＴＰＣ、ＴＦＣＩ、データ２、およびパイロットフィールド内の一対のデータビットは複素記号にグループ化され、続いてそれらは同相および直角位相搬送信号を変調するために使用される。パイロットデータは既知の記号パターンであるため、受信機ユニットはパイロットデータを処理し、そしてパイロットデータが有効である時間間隔（ｔｉｍｅ ｉｎｔｅｒｖａｌ）の期間において受信された搬送信号の位相および振幅を決定することができる。パイロットデータは時間多重され、そしてパケットおよび信号データの送信の期間は利用できない。しかしながら、搬送信号の位相と振幅はこれらの時間においてデータ１、データ２、ＴＰＣ、およびＴＦＣＩフィールド内のデータをコヒーレントに復調するために必要とされる。
【００３８】
図４Ｂは専用物理チャネルにおける特定のデータ送信の一部分の図である。複数のスロットが示されており、各スロットはデータフィールド４２０ａおよび４２０ｂ、ＴＰＣフィールド４２２、ＴＦＣＩフィールド４２４、およびパイロットフィールド４２６の組合わせを含む。パイロットデータは，図４Ｂにおいて，パイロットフィールド４２６ａから４２６ｅにより構成されているように、各スロットに最後において送信される。パイロットフィールド４２６内のパイロットデータは基準信号を生成するために使用され、これは続いてパイロットフィールド間で送信されたパケットおよび信号データを復調するために使用される。
【００３９】
パイロットデータと共に時間多重パケットおよび信号データをコヒーレントに復調するために、多数の方法が使用可能である。ある方法において、現在のスロット（ｉ）に関するパケットおよび信号データは、基準信号を生成するために現在のスロットに関するパイロットデータＰ（ｉ）（Ｗ−ＣＤＭＡシステムにおいては、これはスロットの最後において送信される。）が受信されそして処理される（古いパイロットデータを用いて）まで、一時的に記憶される。次に、現在のスロットに関するパケットおよび信号データが、生成された基準信号を使用して導き出されそして復調される。これらの方法に関し、現在のスロット（ｉ）の最後にあるパイロットデータＰ（ｉ）は搬送信号の位相および振幅の”過去の”評価を生成するために使用され、そしてこのデータは搬送信号のパイロットデータが受信されそして処理されるまで一時的に記憶することが必要とされる。
【００４０】
ある他の方法において、パイロットスロット（ｉ−１）の最後にあるパイロットデータＰ（ｉ−１）は、基準信号を生成するために処理され（一般的には、前のパイロットデータに属する。例えばＰ（ｉ−２））、そしてこれは次に現在のスロット（ｉ）によって送信されたパケットおよび信号データを復調するために使用される。これらの方法に関し、前のスロット内のパイロットデータは搬送信号の位相および振幅の“将来の（ｆｕｔｕｒｅ）”評価を生成するために使用される。これらの方法は現在のスロット（ｉ）によって受信されたデータの実時間処理を可能にし、そしてデータ記憶の要求は実質的に低減可能でありまたはひょっとしたら除去可能である。搬送信号の位相および振幅の評価を生成するために、以下にさらに詳細に記載するように、種々の技術が使用可能である。
【００４１】
図５Ａは基準信号を生成するための内挿法の使用について説明する図である。内挿法は受信された搬送信号の位相および振幅の“過去の”評価を生成するために使用される。パイロットデータ５１０ａ、５１０ｂがそれぞれスロット（ｉ）および（ｉ−１）において受信され、そして（破線５２０によって表示されるような）パイロットデータ５１０ａおよび５１０ｂが受信された間の期間における基準信号の位相および振幅を生成するために処理される。パイロットデータ５１０ａおよび５１０ｂの間で受信されたパケットおよび信号データは、パイロットデータ５１０ａが受信されそして処理されるまで一時的に記憶される。記憶されたデータは続いて生成された基準信号を用いて再生されそして復調される。この方法は、スロット（ｉ）の最後にあるパイロットデータ５１０ａが受信されそして処理されるまで、パケットおよび信号データに関する１つまたはそれより多くのスロットの記憶を必要とする。
【００４２】
図５Ｂは基準信号を生成するための外挿法の使用について説明する図である。外挿法は、受信された搬送信号の位相および振幅の“将来の”評価を生成するために使用可能である。パイロットデータ５１０ｂおよび５１０ｃは、それぞれスロット（ｉ−１）および（ｉ−２）において受信され、そして（破線５２２によって表示されるような）パイロットデータ５１０ｂの後の期間、例えばスロット（ｉ−１）におけるパイロットデータ５１０ｂおよびスロット（ｉ）におけるパイロットデータの間、における基準信号の位相および振幅を生成するために処理される。パイロットデータ５１０ｂの後に受信されたパケットおよび信号データは、生成された基準信号を用いて近似的に実時間で復調することができる。この方法はパケットおよび信号データの記憶の要求を低減または除去可能である。
【００４３】
図５Ｃは基準信号を生成するためのカーブ適合法の使用について説明する図である。カーブ適合法は受信された搬送信号の位相および振幅の過去および／または将来の評価を生成するために使用可能である。図５Ｃに示すように、パイロットデータ５１０ｂ、５１０ｃ、および５１０ｄは、スロット（ｉ−１）、（ｉ−２）および（ｉ−３）においてそれぞれ受信され、そして（破線５２４によって表示されるような）パイロットデータ５１０ｂの後の期間における基準信号の位相および振幅を生成するためにカーブ適合技術を使用して処理される。かかるカーブ適合技術は線形回帰アルゴリズム（ｌｉｎｅａｒ ｒｅｇｒｅｓｓｉｏｎ ａｌｇｏｒｉｔｈｍ）、非線形回帰アルゴリズム、またはこの技術分野において既知の何らかのカーブ適合アルゴリズムとすることができる。線形回帰アルゴリズムは受信されたパイロットデータと曲線との垂直の間隔の平方の合計を最小化する。カーブ適合法に関してパイロットデータ（即ち、＜＞３点）におけるより大きいまたはより小さい数を使用することができる。生成された基準信号を用いてパイロットデータ５１０ｂの後のパケットおよび信号データを近似的に実時間で復調することができる。
【００４４】
図５Ｄは基準信号を生成するための重み付けされた平均化（ｗｅｉｇｈｔｅｄ ａｖｅｒａｇｉｎｇ）の使用について説明する図である。重み付けされた平均化法は、それ自身によりまたは１つまたはそれより多くの他の技術との組合わせにより、受信された搬送信号の位相および振幅に関する過去および／または将来の評価を生成するために、使用することができる。パイロットデータ５１０ｂ、５１０ｃ、および５１０ｄは、スロット（ｉ−１）、（ｉ−２）および（ｉ−３）においてそれぞれ受信され、そして（破線５２６によって表示されるような）パイロットデータ５１０ｂの後の期間における基準信号の位相および振幅を生成するために、重み付けファクタＤ１、Ｄ２、およびＤ３の組を用いてそれぞれ重み付けされる。重み付けファクタは、最近のパイロットデータに関してはより重く重み付けをし、古いパイロットデータに関しては少ない重みを与えるように選択することができる。例えば、スロット（ｉ−１）、（ｉ−２）および（ｉ−３）におけるパイロットデータ５１０ｂ、５１０ｃ、および５１０ｄが０．５、０．２５、および０．１２５の重み付けファクタによりそれぞれ重み付けされるように、パイロットデータは指数関数的に重み付けすることができる。続いて、外挿法、カーブ適合法、または他の平均化技術は、重み付けされたパイロットデータに基づき基準信号を生成するために使用することができる。パイロットデータ５１０ｂの後のパケットおよび信号データは、生成された基準信号を用いて近似的に実時間で復調することができる。
【００４５】
図５Ｅは基準信号を生成するための全体的平均化法（ｅｎｓｅｍｂｌｅ ａｖｅｒａｇｉｎｇ）の使用について説明する図である。また全体的平均化法はそれ自身によりまたは１つまたはそれより多くの他の技術との組合わせにより、受信された搬送送信号の位相および振幅に関する過去および／または将来の評価を生成するために使用することができる。図５Ｅに示すように、パイロットデータ５１０ｂ、５１０ｃ、５１０ｄ、および５１０ｅは、スロット（ｉ−１）、（ｉ−２）、（ｉ−３）、および（ｉ−４）においてそれぞれ受信され、そして受信されたパイロットデータに最適に適合する直線（または曲線）５３０を生成するために使用される（例えば、パイロットデータと直線または曲線との間の垂直の間隔の平方の合計を最小化する直線または曲線）。続いて直線（または曲線）５３０に基づき基準信号を生成することができる。例えば、基準信号は（図５Ｅに示すように）直線５３０と同じ勾配を有し、そしてパイロットデータ５１０ｂから始まり、または直線５３０の端部から継続し、または所定の他の点と結合する、直線５３２を用いて表現することができる。図５Ｄと同様に、パイロットデータは、最近のパイロットデータには大きい重みを与え、古いパイロットデータには小さい重みを与えるように重み付けすることができる。
【００４６】
図５Ｂから図５Ｅは受信された搬送信号の位相および振幅に関する将来の評価（即ち、“予測”）を含む基準信号を生成することができるいくつかの技術を示す。位相および振幅に関する将来の評価を生成するために、さらに他の技術を使用することができ、これらは本発明の概念内にある。
【００４７】
ある実施の形態において基準信号の位相および振幅は（複素）多項式を用いて規定することができる。例えば、１次の多項式は線形内挿法および線形外挿法に関し使用することができる。基準信号、
【数１】
2004508765.tif 000006
、に関する１次の多項式は
【数２】
2004508765.tif 000007
として表示することができる。ここでａ１（ｉ）およびａ０（ｉ）は多項式の係数であり、スロットｉについて適用され、指標ｊはスロットｉ内の時間ユニット（例えば、以下に記載するような、記号期間）であり、そして
【数３】
2004508765.tif 000008
はスロットｉについて時間ユニットｊにおける基準信号の位相および振幅を表現する複素配列である。係数ａ１（ｉ）およびａ０（ｉ）は新しいパイロットデータが受信された場合には一般的に再計算されるが、受信されたパイロットデータの品質が低下した（または使用できない）場合には、再使用する（例えば、新しいスロットに外挿される）ことができる。
【００４８】
一実施の形態において、基準信号は連続する複素“基準記号（ｒｅｆｅｒｅｎｃｅ ｓｙｍｂｏｌ）”、各記号時間（ｓｙｍｂｏｌ ｔｉｍｅ）に対し１つの基準記号、を含む。各基準記号は特定の記号時間における基準信号の瞬時の位相および振幅を規定する。表１を参照すると、各スロットは、スロットのビットレートに対応する数を有する、特定のビット数を含む。一対のビットが複素記号を形成するためにグループ化され、そしてこのために各スロット内の記号の数はビット数の半分である。復調のために、記号時間ｊにおける基準信号の瞬時の位相および振幅を表現する基準記号は、１つまたはそれより多くの物理チャネルに関して記号時間ｊにおいて受信された、１つまたはそれより多くの記号を復調するために使用される。各スロットに関して生成された基準記号の数は特定のスロットフォーマットに従い、そして、５つの記号（１５Ｋｂｐｓに関する）から６４０の記号（１９２０Ｋｂｐｓに関する）に増加するように変化する。式（１）において、指標ｊはこのようにして１５Ｋｂｐｓの最も小さいビットレートに関する（０、１、・・・４）から１９２０Ｋｂｐｓの最も大きいビットレートに関する（０、１、・・・６３９）に増加するように変化する。
【００４９】
線形的な外挿法に関し、式（１）に関する係数は
【数４】
2004508765.tif 000009
として表示することができ、ここで、Ｐ（ｉ−１）およびＰ（ｉ−２）はそれぞれスロット（ｉ−１）および（ｉ−２）におけるパイロットデータであり、これらは受信された搬送信号の位相および振幅を表現し、そしてＴｓｌｏｔはスロットの継続期間である（例えば、Ｔｓｌｏｔ＝５、・・・または６４０の記号であり、スロットのビットレートに従う。）。
【００５０】
他の基準信号生成技術のために高次の多項式を使用することができる。例えば、４つのスロットからのパイロットデータを使用するカーブ適合技術に関して、基準信号
【数５】
2004508765.tif 000010
を表現するために３次の多項式を定義することができる。一般に、基準信号に関するＮ次の多項式は、
【数６】
2004508765.tif 000011
として表示することができる。式（２）における係数ａ０（ｉ）、ａ１（ｉ）、・・・、ａＮ（ｉ）は上で記載したいずれかの技術（例えば、カーブ適合法、平均化法、およびその他）を用いて決定することができる。
【００５１】
図６は、Ｗ−ＣＤＭＡ標準によって規定されるＳＴＴＤモードの複数の送信アンテナから送信されるものを含む物理チャネルを受信しそして復調するために使用することのできる、受信機ユニット６００の部分の実施の形態のブロック図である。１つまたはそれより多くの送信アンテナからの１つまたはそれより多くのＲＦ変調された信号がアンテナ６１０により受信され、受信された信号を調整する（例えば、増幅、フィルタリング、およびその他）受信機（ＲＣＶＲ）６１２に提供され、そして調整された信号を中間周波数（ＩＦ）またはベースバンドに直角位相的に下方変換する。受信機６１２はまた、下方変換された同相および直角位相信号について、レイク受信機（ｒａｋｅ ｒｅｃｅｉｖｅｒ）６２０に提供される受信されたサンプルを生成するために、サンプルし量子化する。例え物理チャネルを処理するためのレイク受信機が図６に示されているとしても、他の受信機構造および実行方法を使用することができ、それらは本発明の範囲に含まれる。
【００５２】
典型的な実行方法において、受信された信号は受信された信号のチップレート、ｆｃ、よりも高いサンプルレート、ｆｓ、でサンプルされる。例えば、ＩＳ−９５ＣＤＭＡシステムに関してはチップレートはｆｃ＝１．２２８８Ｍｃｐｓ（またはＷ−ＣＤＭＡシステムに関しては３．８４Ｍｃｐｓ）とすることができるが、サンプルレートは例えば８倍（即ち８ｘチップ）、１６倍（即ち１６ｘチップ）、３２倍（即ち３２ｘチップ）、または他の倍数のチップレートとすることができる。高いサンプルレートは経路位置における“ズームイン（ｚｏｏｍ ｉｎ）”に対するタイミングの正確な調整を可能にする。
【００５３】
図６に示すように、レイク受信機６２０は探索要素６２２および複数のフィンガ要素（ｆｉｎｇｅｒ ｅｌｅｍｅｎｔ）６３０ａから６３０ｎを含む。これらの要素のそれぞれは、受信機６１２からサンプルを受信し、そして要素に関連するまたは制御器６４０によって指示されたタスクを実行する。例えば、探索要素６２２は、制御器６４０により、受信される信号の強い事例を探索するために指示を受ける（または割り当てを受ける）ことができる。強い信号は異なる時間差（ｔｉｍｅ ｏｆｆｓｅｔ）で存在するかもしれず、そして異なるパラメータ（例えば、異なるＰＮコード、異なる時間差、およびその他）によってサンプルを処理することにより、探索要素６２２によって確認することができる。探索要素６２２は探索された信号または探索結果の指示に対応するデータを制御器６４０に提供するために設計することができる。制御器６４０は、探索要素６２２の助けにより決定されるように、フィンガ要素６３０を受信された信号の最も強い事例を復調するために割り当てる。
【００５４】
各割り当てられたフィンガ要素６３０は、制御器６４０によって指示されるような、受信された信号（即ち、特定の割り当てられた時間差における信号）の１つの事例に関する１つの物理チャネルの復調を実行する。各割り当てられたフィンガ要素６３０は、受信された信号についての割り当てられた事例に対応する回復された記号
【数７】
2004508765.tif 000012
を提供する。回復された記号を生成するための復調は以下においてさらに詳細に記載されている。全ての割り当てられたフィンガ要素６３０
【数８】
2004508765.tif 000013
からの回復された記号は続いてコンバイナ６３２に提供され、そして送信されたデータについてさらに表示する復号記号を提供するために結合される。結合された記号は回復されたチャネルデータを表現し、その後の処理ブロック（例えば、デコーダ）に提供される。
【００５５】
ＣＤＭＡシステムにおけるレイク受信機の構成および動作は、双方とも本発明の譲受け人に譲渡され、参照することによりここに組込まれる、「ＭＯＢＩＬ ＤＥＭＯＤＵＬＡＴＯＲ ＡＲＣＨＩＴＥＣＴＵＲＥ ＦＯＲ Ａ ＳＰＲＥＡＤ ＳＰＥＣＴＲＵＭＭＵＬＵＴＩＰＬＥ ＡＣＣＥＳＳ ＣＯＭＭＵＮＩＣＡＴＩＯＮ ＳＹＳＴＥＭ（スペクトル拡散多重アクセス通信システムのための移動式復調器構造）」なる名称の米国特許第５，７６４，６８７号、および「ＤＥＭＯＤＵＬＡＴＯＲ ＥＬＥＭＥＮＴ ＡＳＳＩＧＮＭＥＮＴ ＩＮ Ａ ＳＹＳＴＥＭ ＣＡＰＡＢＬＥ ＯＦ ＲＥＣＥＩＶＩＮＧ ＭＵＬＴＩＰＬＥ ＳＩＧＮＡＬＳ（複数信号の受信が可能なシステムにおける復調要素の割当て）」なる名称の米国特許第５，４９０，１６５号に開示されている。
【００５６】
簡単化のため例え図６には示されていなくとも、各フィンガ要素はさらにフィンガ要素において回復された記号の品質指標（例えば、平均エネルギ）を計算するロック検出器（ｌｏｏｋ ｄｅｔｅｃｔｏｒ）を含み、そして品質指標が特定の閾値を超えない場合には、回復された記号をフィンガ要素からマスクすることができる。マスキングは、十分な強さのそして信頼性のある信号を受信しているフィンガ要素のみが結合された出力に寄与することを確実にし、このようにして回復された記号の品質を高める。
【００５７】
図７は図６のフィンガ要素６３０の１つを実施するために使用することのできるフィンガ要素７００の実施の形態のブロック図である。フィンガ要素はさらに復調要素として参照される。受信機６１２により受信されたサンプルは乗算器７１０に提供され、そして、送信機ユニットにおいて使用されそしてフィンガ要素に割り当てられた時間差を有するスクランブルコードに対応する複素スクランブル復元コード、ＰＮ、を用いてスクランブルが復元される。
【００５８】
スクランブルが復元されたサンプルは受信された信号内の全ての物理チャネルに関するデータを含む。送信機ユニットにおいて、各物理チャネルはそれぞれのチャネル化コード（例えば、ＩＳ−９５　ＣＤＭＡシステムにおける特定のウォルシュコード、またはＷ−ＣＤＭＡシステムにおける特定のＯＶＳＦコード）を用いて、他の物理チャネルのそれらと直交するデータを生成するようにチャネル化される。受信機ユニットにおいて、特定の物理チャネルを処理するため、スクランブル復元された信号が乗算器７１２に提供され、そして処理される物理チャネルに割り当てられたチャネル化コード、Ｃｄ、を用いてデカバー（ｄｅｃｏｖｅｒ）される（即ち、乗算される）。
【００５９】
乗算器７１２からの出力はアキュムレータ７１４に提供され、そしてチャネル化された記号を生成するために、チャネル化コード、Ｃｄ、の長さにわたってアキュムレートされる。例えば、物理チャネルのビットレートが１．９２Ｍｂｐｓの場合、アキュムレータ７１４はチャネル化された記号を提供するために乗算器７１２からのデカバーされたサンプルを４−チップ期間にわたってアキュムレートする。他の極端な状態において、物理チャネルのビットレートが７．５Ｋｂｐｓの場合、アキュムレータ７１４はチャネル化された記号を提供するためにデカバーされたサンプルを５１２−チップ期間にわたってアキュムレートする。
【００６０】
チャネル化コード、Ｃｄ、が知られていない事例において（例えば、Ｗ−ＣＤＭＡシステムにおける共用物理チャネルに関して）記憶可能な中間結果（即ち“チャネル化されたサンプル”）を生成するために受信されたサンプルを処理するのに“仮定された（ｈｙｐｏｔｈｅｓｉｚｅｄ）”チャネル化コードを使用することができ、物理チャネルのために使用される実際のチャネル化コードの決定によって、さらにチャネル化された記号を提供するため処理される。物理チャネルに対するこの部分的処理はこれと同日の上記米国特許出願第０９／６５５、６０９号に詳細に記載されている。
【００６１】
戻って図４Ａを参照すると、アキュムレータ７１４からのチャネル化されたデータは時間多重パケット、信号、およびパイロットデータを含む。Ｗ−ＣＤＭＡ標準に従って、閉ループモード１に関し、２つの送信アンテナのために直交するパイロットが使用される。２つの送信アンテナのための直交するパイロットは、表１および表２においてそれぞれ規定される、異なるパイロット記号パターンＷＰ１およびＷＰ２’を使用して生成される。このように、受信機ユニットにおいて、パイロット記号パターンはチャネル化された記号を乗算器７２０ａおよび７２０ｂによりそれぞれ同じパイロット記号パターン、ＷＰ１およびＷＰ２’と乗算することにより取り除かれる。乗算器７２０ａおよび７２０ｂのそれぞれからの各複素パイロット記号はそれぞれのパイロットの特定の記号時間における瞬時の位相および振幅を表現する。乗算器７２０ａおよび７２０ｂからのパイロット記号は続いてそれぞれのパイロットプロセッサ７２２ａ、７２２ｂに提供される。
【００６２】
各パイロットプロセッサ７２２は各スロットに関するパイロット記号、Ｐ、を受信し、そして前のスロットからのパイロット記号に基づく基準信号、
【数９】
2004508765.tif 000014
、を生成する。表１を参照すると、特定のスロットに関するパイロットフィールドは２ビッ（即ち、１つの記号）から１６ビット（即ち、８つの記号）に変化可能である。このように、各パイロットプロセッサ７２２は各スロットに関し１〜８のパイロット記号を受信し、１つまたはそれより多くのフィルタリングされたパイロット記号を生成するためにこのパイロット記号を各スロットに関しフィルタリングすることができる。例えば、各パイロットプロセッサ７２２は、そのスロットのパイロットの位相および振幅に対応する１つのフィルタリングされたパイロット記号を生成するために、各スロットにおいて受信されたパイロット記号をフィルタリングする（例えば、平均をとる）ことができる。代わって、他のアンテナにおいては、各パイロットプロセッサ７２２は、パイロット記号のいかなるフィルタリングも実行することはない。
【００６３】
各パイロットプロセッサ７２２は、基準信号、
【数１０】
2004508765.tif 000015
、を生成するために、フィルタリングされたパイロットをさらに処理する。例えば、線形外挿法に関して、パイロットプロセッサ７２２は、２つの隣接する前のスロット（ｉ−１）および（ｉ−２）に関する、パイロットデータ、Ｐ（ｉ−１）およびＰ（ｉ−２）に基づき、現在のスロット（ｉ）に関する基準信号、
【数１１】
2004508765.tif 000016
、を生成することができる。また各パイロットプロセッサ７２２は、カーブ適合法、重み付け平均化法、全体的平均化法、または他の技術を使用して基準信号を生成することができる。
【００６４】
Ｗ−ＣＤＭＡ標準に従って、パイロットデータは、パケットおよび信号データによって拡散された時間多重された時間間隔において送信される。このようにして、１つまたはそれより多くの基準信号、
【数１２】
2004508765.tif 000017
（動作モードに従う）、を生成するために、受信されたパイロットデータは上に記載した方法によりフィルタリングされそして処理され、これらはパケットおよび信号データを復調するために使用される。またパイロットデータは受信されたパイロットの品質の指示を提供するパイロット検出器（ＤＥＴ：ｄｅｔｅｃｔｏｒ）７３８に提供される。特定の実行において、パイロット検出器７３８は受信されたパイロットの電力を測定し、パイロットの品質評価、
【数１３】
2004508765.tif 000018
、を提供する。
【００６５】
パイロットプロセッサ７２２ａおよび７２２ｂからの基準信号、
【数１４】
2004508765.tif 000019
、および、アキュムレータ７１４からのチャネル化された記号、
【数１５】
2004508765.tif 000020
、はフィンガ要素に関する回復された記号を生成するために必要な計算を実行するデータ回復要素７４０に提供される。データ回復処理は以下に記載する。
【００６６】
図７において、乗算器７２０ａおよび７２０ｂそしてパイロットプロセッサ７２２ａおよび７２２ｂはフィンガ要素のパイロット処理ユニットの一部を含む。パイロットデータが１つのアンテナのみから送信される動作モードにおいては、パイロット処理経路のうちの１つのみが必要であり、そして他のパイロット処理経路は無用にすることができる。乗算器７１２およびアキュムレータ７１４はフィンガ要素のデータ処理ユニットの一部を含む。
【００６７】
基準信号は送信機ユニットにおけるデータによって変調された搬送信号の評価である。伝播遅延および経路損失に起因して、受信された変調信号の振幅および位相は時間とともに変動する。さらにこれらの変動はパイロットに反映され、そして基準信号により検出されそして評価される。このように基準信号は受信された信号をコヒーレントに復調するために使用される。
【００６８】
各割当てられたフィンガ要素において、基準信号、
【数１６】
2004508765.tif 000021
、およびチャネル化された記号、
【数１７】
2004508765.tif 000022
、（“実際に”受信された記号、Ｘの評価である。）は、
【数１８】
2004508765.tif 000023
【数１９】
2004508765.tif 000024
として表現することができる。
【００６９】
送信された記号を回復するために、以下の動作を実行することができる。
【数２０】
2004508765.tif 000025
ここで、
【数２１】
2004508765.tif 000026
は回復された記号を表示し、ｅｊＰｌｏｔはパイロットの位相であり、ｄｏｔ
【数２２】
2004508765.tif 000027
は
【数２３】
2004508765.tif 000028
および
【数２４】
2004508765.tif 000029
のドット積（ｄｏｔ ｐｒｏｄｕｃｔ）であり、そして（ＰＩＸＩ＋ＰＱＸＱ）に等しく、そしてｃｒｏｓｓ
【数２５】
2004508765.tif 000030
は
【数２６】
2004508765.tif 000031
および
【数２７】
2004508765.tif 000032
のクロス積（ｃｒｏｓｓ ｐｒｏｄｕｃｔ）であり、そして（ＰＩＸＱ−ＰＱＸＩ）に等しい。
【００７０】
ドットおよびクロス積はチャネル化された記号、
【数２８】
2004508765.tif 000033
、を特定のフィンガ要素から、そのフィンガにより受信されたパイロットの相対的強度によりスケール（ｓｃａｌｅ）し、これは基準信号、
【数２９】
2004508765.tif 000034
、により評価される。スケーリング（ｓｃａｌｉｎｇ）は効率の良い結合のために割り当てられたフィンガ要素からの寄与を評価するために使用される。このように、ドット積は、位相予測およびコヒーレントレイク受信機の特徴であるフィンガ重み付けの両者に関する、双方の役割を実行する。ドット積計算はさらに上記米国特許第５，７６４，６８７号および特許第５，４９０，１６５号記載されている。
【００７１】
処理される物理チャネルは１アンテナまたは２アンテナ（例えば、Ｗ−ＣＤＭＡシステムにおけるＳＴＴＤモードに係る）から送信することができる。さらに、物理チャネルは、ＢＰＳＫ変調（例えば、ＩＳ−９５　ＣＤＭＡシステムに係る）またはＱＰＳＫ変調（例えば、Ｗ−ＣＤＭＡシステムに係る）のいずれかを使用して変調することができる。
【００７２】
（例えば、ＩＳ−９５　ＣＤＭＡシステムにおいて使用される）ＢＰＳＫ変調に関し、クロス積はノイズ範囲であり無視され、そして、パイロット位相は０、即ち、ｅｊＰｉｌｏｔ＝（１＋ｊ０）である。回復された記号、
【数３０】
2004508765.tif 000035
、は
【数３１】
2004508765.tif 000036
として、このように表現することができる。
【００７３】
（例えば、Ｗ−ＣＤＭＡシステムにおいて使用される）ＱＰＳＫ変調においては、パイロット位相はｅｊＰｉｌｏｔ＝（１＋ｊ）である。回復された記号、
【数３２】
2004508765.tif 000037
、は
【数３３】
2004508765.tif 000038
として、このように表現することができる。
【００７４】
Ｗ−ＣＤＭＡ標準のＳＴＴＤモードにおいて、１つの物理チャネルとして、２つのＲＦ変調された信号が２つの送信アンテナから送信される。第２のアンテナから送信されるデータは第１のアンテナから送信されるデータと同じであるが、相違点を備えるために整理しなおされそして複素数に共役化されている。このように、ＳＡ１は第１の送信アンテナから送信された記号シーケンス｛Ｓ０、Ｓ１、Ｓ２、Ｓ３、・・・｝を表し、ＳＡ２は第２の送信アンテナから送信された記号シーケンス｛−Ｓ１＊、Ｓ０＊、−Ｓ３＊、Ｓ２＊、・・・｝を表す。
【００７５】
各ＲＦ変調信号は独立のそして異なる経路損失を経験することができる。実際に受信された信号、Ｘ、は２つの各ＲＦ変調信号の重み付けされた合計であり、
Ｘ＝αＳＡ１＋βＳＡ２、
であり、ここでαおよびβは第１および第２の送信アンテナからそれぞれの受信アンテナへの経路損失であり、そしてＸは受信された記号シーケンス｛Ｘ０、Ｘ１、Ｘ２、ＸＳ３、・・・｝である。受信された記号は
Ｘ０＝αＳ０−βＳ１＊、　　　　　　　　　　　　　　　　式（３）
Ｘ１＝αＳ１＋βＳ０＊、　　　　　　　　　　　　　　　　式（４）
Ｘ２＝αＳ２−βＳ３＊、そして　　　　　　　　　　　　　式（５）
Ｘ３＝αＳ３＋βＳ２＊、　　　　　　　　　　　　　　　　式（６）
として表すことができる。
【００７６】
式（３）から式（４）を結合し、回復された記号、
【数３４】
2004508765.tif 000039
、が
【数３５】
2004508765.tif 000040
として計算することができ、ここでＫはスケーリングファクタであり、Ｋ＝１／（｜α｜２＋｜β｜２）、そして
【数３６】
2004508765.tif 000041
は実際に受信された記号、Ｘ、の評価であるチャネル化された記号を表示する。スケーリングファクタ、Ｋ、は、より信頼性のある記号がより重く重み付けされるように、記号を結合する前に種々割り当てられたフィンガからの回復された記号をスケールするために使用される。Ｗ−ＣＤＭＡシステムに関する復調はこれと同日に出願される上記米国特許出願第ｘｘ／ｘｘｘ、ｘｘｘ号（代理人明細書番号ＱＣＰＡ０００４４２）にさらに詳細に記載されている。
【００７７】
ここに記載された処理ユニット（例えば、乗算器７１０、７１２、および７２０、アキュムレータ７１４、パイロットプロセッサ７２２、データ回復要素７４０、制御器６４０、その他）は、ここに記載した機能を実施するように設計された、特定用途向けＩＣ（ＡＳＩＣ：ａｐｐｌｉｃａｔｉｏｎ ｓｐｅｃｉｆｉｃ ｉｎｔｅｇｒａｔｅｄ ｃｉｒｃｕｉｔ）、デジタル信号プロセッサ、マイクロコントローラ、マイクロプロセッサ、または他の電子回路のような、種々の方法により実施することができる。また、処理ユニットはここに記載された機能を達成する命令コードを実行するために動作する一般的な目的のまたは特別に設計されたプロセッサを用いて実施することができる。このように、ここに記載された処理ユニットは、ハードウェア、ソフトウェア、またはこれらの組合わせを用いて実施することができる。
【００７８】
メモリユニットは例えばランダムアクセスメモリ（ＲＡＭ：ｒａｎｄｏｍ ａｃｃｅｓｓ ｍｅｍｏｒｙ）、フラッシュメモリ、その他を含むメモリ技術を用いて実施することができる。またメモリユニットは例えばハードディスク、ＣＤ−ＲＯＭ駆動装置、その他のような記憶要素を用いて実施することができる。メモリユニットに関する種々の他の実施が可能であり、そして本発明の概念に含まれる。
【００７９】
望ましい実施の形態の上記記載は、この技術分野におけるいずれの熟練者も本発明について製作しまたは使用することを可能とするために提供される。これらの実施の形態に対する種々の変更は、この技術分野における熟練者にとって容易に行われ、そしてここに規定される一般的な原理は発明能力を用いることなく他の実施の形態に関しても適用できるであろう。このように、本発明は、ここに示される実施の形態に限定されることを意図するものではなく、ここに開示された原理および新しい特徴からなる最も広い範囲に一致する。
【図面の簡単な説明】
【図１】
図１は、多数の使用者を維持するスペクトル拡散通信システムに関する図である。
【図２】
図２は、下方リンク物理チャネルにおける、信号処理に関する実施の形態の簡単化されたブロック図である。
【図３】
図３は、１つまたは２つのアンテナを介する下方リンク物理チャネルの送信を維持する変調器、送信機、およびアンテナのブロック図である。
【図４Ａ】
図４Ａは、Ｗ−ＤＭＡ標準によって規定されるような専用物理チャネルに関する、フレームフォーマットおよびスロットフォーマットの図である。
【図４Ｂ】
図４Ｂは、専用物理チャネル上における特定のデータ送信の一部についての図である。
【図５Ａ】
図５Ａは、基準信号を生成するための内挿法の使用について図示する図である。
【図５Ｂ】
図５Ｂは、基準信号を生成するための外挿法の使用について図示する図である。
【図５Ｃ】
図５Ｃは、基準信号を生成するためのカーブ適合法の使用について図示する図である。
【図５Ｄ】
図５Ｄは、基準信号を生成するための重み付け平均化法の使用について図示する図である。
【図５Ｅ】
図５Ｅは、基準信号を生成するための全体的平均化法の使用について図示する図である。
【図６】
図６は、物理チャネルにおいて受信しそして変調するために使用可能な受信機ユニットの一部の実施の形態の図である。
【図７】
図７は、図６に示すレーク受信機の１つのフィンガ要素部を実行するために使用可能なフィンガ要素部の実施の形態の図である。
【符号の説明】
１００　…　スペクトル拡散通信システム。
１０２　…　セル
１０４　…　基地局
１０６　…　端末
２１２　…　データソース
２１４　…　エンコーダ
２１６　…　変調器
２１８　…　送信機
２２０　…　アンテナ
２３０　…　アンテナ
２３２　…　受信機
２３４　…　復調器
２３６　…　デコーダ
２３８　…　データシンク
２４０　…　制御器
２４２　…　メモリユニット
３００　…　復調器
３０２　…　送信機
３０４　…　アンテナ
３１０　…　ＳＴＴＤエンコーダ
３２０　…　チャネライザ
３２２　…　Ｉ／Ｑデマルチプレクサ
３２４ａ、３２４ｂ　…　乗算器
３２６　…　乗算器
３２８　…　加算器
３３０　…　乗算器
３３２ｂ　…　乗算器
３３４　…　コンバイナ
３３６　…　乗算器
４１０　…　スロット
４２０ａ、４２０ｂ　…　データフィールド
４２２　…　送信電力制御フィールド
４２４　…　トランスポートフォーマット結合標識フィールド
４２６　…　パイロットフィールド
５１０ａ、５１０ｂ、５１０ｃ、５１０ｄ　…　パイロットデータ
５２０、５２２、５２４、５２６　…　破線
５３０　…　最適適合直線
５３２　…　基準信号を表現する直線
６００　…　受信機ユニット
６１０　…　アンテナ
６１２　…　受信機
６２０　…　レイク受信機
６２２　…　探索要素
６３０ａ、６３０ｂ・・・６３０ｎ　…　フィンガ
６３２　…　コンバイナ
６４０　…　制御器
６４２　…　メモリ
７００　…　フィンガ要素
７１０　…　乗算器
７１２　…　乗算器
７１４　…　アキュムレータ
７２０ａ、７２０ｂ　…　増幅器
７２２ａ、７２２ｂ　…　パイロットプロセッサ
７３８　…　パイロット検出器
７４０　…　パイロット回復器
【図１】
2004508765.tif 000042
【図２】
2004508765.tif 000043
【図３】
2004508765.tif 000044
【図４Ａ】
2004508765.tif 000045
【図４Ｂ】
2004508765.tif 000046
【図５Ａ】
2004508765.tif 000047
【図５Ｂ】
2004508765.tif 000048
【図５Ｃ】
2004508765.tif 000049
【図５Ｄ】
2004508765.tif 000050
【図５Ｅ】
2004508765.tif 000051
【図６】
2004508765.tif 000052
【図７】
2004508765.tif 000053
【国際公開パンフレット】
2004508765.tif 000054
2004508765.tif 000055
2004508765.tif 000056
2004508765.tif 000057
2004508765.tif 000058
2004508765.tif 000059
2004508765.tif 000060
2004508765.tif 000061
2004508765.tif 000062
2004508765.tif 000063
2004508765.tif 000064
2004508765.tif 000065
2004508765.tif 000066
2004508765.tif 000067
2004508765.tif 000068
2004508765.tif 000069
2004508765.tif 000070
2004508765.tif 000071
2004508765.tif 000072
2004508765.tif 000073
2004508765.tif 000074
2004508765.tif 000075
2004508765.tif 000076
2004508765.tif 000077
2004508765.tif 000078
2004508765.tif 000079
2004508765.tif 000080
2004508765.tif 000081
2004508765.tif 000082
2004508765.tif 000083
2004508765.tif 000084
2004508765.tif 000085
2004508765.tif 000086
2004508765.tif 000087
2004508765.tif 000088
2004508765.tif 000089
【国際公開パンフレット（コレクトバージョン）】
2004508765.tif 000090
【国際調査報告】
2004508765.tif 000091
2004508765.tif 000092